(57)【特許請求の範囲】
【請求項１】
医薬品をセットする医薬品セット用コンテナーと、矩形状に複数の前記医薬品セット用コンテナーがセットできるように仕切られたコンテナーセット台と、該コンテナーセット台の上部に設置され、セットされた前記各医薬品セット用コンテナーの上面に光を投光する投光部と、該投光部を制御する制御部とを有し、
前記コンテナーセット台にセットされた医薬品セット用コンテナーは患者別に割り付けられ、
医薬品記号を入力することにより、該医薬品を使用する患者に割り付けた医薬品セット用コンテナーに前記投光部から光が照射され、該照射面に当該医薬品のセット数量を表示することを特徴とする表示装置。
【発明の詳細な説明】
【０００１】
【発明の属する技術分野】
本発明は、病院等で注射薬等の医療材料及び／又は医薬品を患者別にセットする作業に好適な表示装置に関するものである。
【０００２】
【従来の技術】
近年、注射薬を毎日患者別にセットする病院が増加する傾向にある。従来この注射薬の患者別セット方法は、作業員が医師の作成した患者別注射薬指示伝票を見ながら、この伝票の指示に従い、１人分ずつセットしていた。
【０００３】
【発明が解決しようとする課題】
しかしながら、上記従来の患者別のセット方法には下記のような問題点があった。
（１）病院においては、入院患者の全てが対象となるので多数の注射薬をセットする必要があり、しかも対象が患者であるため注射薬指示伝票が出てから短時間にセットを行わなければならないが、セットに時間がかかる。
【０００４】
（２）一般の病院が取り扱う注射薬は数百種にものぼり、この中から対象となる注射薬を探すにはかなりの時間を要するため、複数の作業者が同時に作業をしなければならない場合もあり、省力化の障害となる。
【０００５】
（３）人間が伝票を見ながら急いで作業するため、注射薬指示伝票の読み間違いや注射薬の取り違い、数量間違い等が発生する恐れがあり、またこの確認のための修正作業に多くの労力を要する。
【０００６】
また、作業性を良くするため、事前に注射薬を梱包から解き、立体的な作業棚に配置する場合が多いが、この前処理にも多くの労力を必要とする。
【０００７】
本発明は上述の点に鑑みてなされたもので、上記問題点を除去し、少ない労力で正確に医療材料や注射薬等の医薬品を患者別にセットするのに好適な表示装置を提供することを目的とする。
【０００８】
【課題を解決するための手段】
上記課題を解決するため本発明は、表示装置を下記のように構成した。
医薬品をセットする医薬品セット用コンテナーと、矩形状に複数の前記医薬品セット用コンテナーがセットできるように仕切られたコンテナーセット台と、該コンテナーセット台の上部に設置され、セットされた各医薬品セット用コンテナーの上面に光を投光する投光部と、該投光部を制御する制御部とを有し、コンテナーセット台にセットされた医薬品セット用コンテナーは患者別に割り付けられ、
医薬品記号を入力することにより、該医薬品を使用する患者に割り付けた医薬品セット用コンテナーに投光部から光が照射され、該照射面に当該医薬品のセット数量を表示する。
【０００９】
本発明は上記構成を採用することにより、患者別に割り付けた医薬品セット用コンテナー毎に医薬品の数量が表示されるから、この表示に従って医薬品のセット作業ができ、作業時間を大幅に短縮できると共に、表示に従って医薬品のセットを行うことができるから、読み違い、取り違い、数量間違いがなくなる。
【００１０】
【発明の実施の形態】
以下、本発明の実施例を図面に基づいて説明する。図１は本発明に係る表示装置のシステム構成例を示す図で、図２は本発明に係る表示装置の外観を示す図である。１はコンピュータであり、該コンピュータ１にはキーボード３、光学的読み取り装置４、プリンタ２等が接続されている。４−１は医師が作成する注射指示伝票から患者別指示データを読み取るＯＣＲからなる第一の光学的読取装置であり、４−２は注射薬に付されたバーコードを読み取るバーコードリーダからなる第二の光学的読取装置である。５は注射薬の患者別セットを指示するセット表示装置であり、該セット表示装置５の上面には複数個の表示器５−１，５−２・・・・・５−ｎが設けられており、表示器５−１，５−２・・・・・５−ｎのそれぞれの側部には注射薬をセットするセット用コンテナー９が配置されている。
【００１１】
図３は表示器５−１を示す図で、表示器５−１には表示ランプａ、数量表示ディスプレイｂ及び完了ボタンｃが設けられている。なお、表示器５−２・・・・・５−ｎも図示は省略するが同一の構成である。また、セット表示装置５の近傍には作業内容のアナウンスを表示する作業内容アナウンス表示器６がアナウンス表示コントローラ１４を介して設けられている。
【００１２】
セット表示装置５はコンピュータ１により制御されるようになっており、各表示器５−１，５−２・・・・・５−ｎは患者別に割り付けられている。作業者はキーボード３を操作し、或いは光学的読取装置４によりセットする注射薬名データを入力すると、コンピュータ１は当該注射薬を使用する患者を検索し、該当表示器５−１，５−２・・・・・５−ｎの内の当該注射薬を使用する患者に該当する表示ランプａを点灯し、数量表示ディスプレイｂにセット数量を表示する。作業者は当該セットする注射薬を表示ランプが点灯した表示器の側部に載置されたセット用コンテナー９に数量表示ディスプレイｂに表示された使用数量をセットする。そしてその注射薬のセットが終了したら、表示器の完了ボタンｃを押してセットを終了したことをコンピュータ１に知らせる。
【００１３】
また、コンピュータ１は薬品ストッカー７も制御するようになっており、該コンピュータ１の指令により、指定された注射薬の収納された薬品ボックス８が自動的に搬出されるようになっている場合もある。
【００１４】
以下、上記表示装置のシステム構成及び動作を詳細に説明する。図１において、１−１はデータを処理し各部を制御する処理制御部であり、前記コンピュータ１内にある。１−２はデータを記憶するデータ記憶部であり、前記コンピュータ１内或いはコンピュータ１の外部に設けられる。処理制御部１−１にはコンピュータ１内のディスプレイ１−３、キーボード３、プリンタ２，ＯＣＲ４−１及びバーコードリーダ４−２が接続される。１１はセット表示装置５を制御するセット表示コントローラで、該セット表示コントローラ１１には複数台の分岐装置１２−１・・・・・１２−ｎが接続され、各分岐装置１２−１・・・・・１２−ｎはセット表示装置５の各表示器５−１・・・・・５−ｎを制御するようになっている。
【００１５】
処理制御部１−１はセット表示コントローラ１１に指令信号を送り、分岐装置１２−１・・・・・１２−ｎを介して各セット表示装置５の各表示器５−１・・・・・５−ｎの表示ランプａの点灯、数量表示ディスプレイｂの表示を行うようになっている。
【００１６】
また、処理制御部１−１は薬品ストッカー７を制御するストッカーコントローラ１３にも接続されており、該処理制御部１−１の指令により、ストッカーコントローラ１３は指定された注射薬が収納された薬品ボックス８（図２参照）を薬品ストッカー７から取り出し自動的に搬出するようになっている場合もある。
【００１７】
上記構成の表示装置において、先ず、処理制御部１−１に使用される注射薬の名称、規格、記号（薬品ＩＤ）を事前に入力し、データ記憶部１−２に記憶する。セット作業をそのモジュール単位で行う場合は、そのモジュール名及び記号も合わせて入力しデータ記憶部１−２に記憶する。また、対象となる患者が入院したらその患者名、患者記号（患者ＩＤ）及び病室名を入力しデータ記憶部１−２に記憶する。
【００１８】
図４は上記装置において、注射薬のセット処理作業の流れを示す図であり、同図を用いて注射薬セットの処理作業を説明する。医師による注射指示伝票が出たら、該伝票の指示に従い、患者名、患者記号（患者ＩＤ）、セット開始日時、使用薬品記号（薬品ＩＤ）、一回当たりの投与量、１日当たりの投与回数、投与日、投与期限を入力し、データ記憶部１−２に記憶する（ステップＳＴ１）。また、指示の変更が発生した場合、変更の指示に従い上記項目の変更をする。
【００１９】
全件の注射指示伝票の入力が終了したら、当日分のセットデータを検索集計する指示を処理制御部１−１に与える。処理制御部１−１はこの指示に従い、当日セットされる注射薬の一覧表を作成し、データ記憶部１−２に記憶する（ステップＳＴ２）。この一覧表には注射薬毎に当該注射薬を使用する患者名、患者記号、病室名、使用数量等が表示される。
【００２０】
作業者はこの一覧表を見て、注射薬の準備を行うと共に（ステップＳＴ３）、セット表示装置５の各表示器５−１・・・・・５−ｎに患者の割り付け、即ち患者の表示ロケーション割り付けを行う（ステップＳＴ４）。この患者に割り付けた表示器５−１・・・・・５−ｎの記号は前記データ記憶部１−２に記憶された一覧表の例えば患者記号欄に追加する。この注射薬の準備及び表示ロケーション割り付けを必要とする注射薬分を繰り返して行う（ステップＳＴ５）。なお、上記ステップＳＴ３の注射薬の準備は、処理制御部１−１がストッカーコントローラ１３に指示を与え、薬品ストッカー７から自動的に搬出させ準備させるようにしてもよい。
【００２１】
次に作業者がセットしようとする注射薬の薬品記号（薬品ＩＤ）を入力すると（ステップＳＴ６）、処理制御部１−１は前記データ記憶部１−２に記憶されている当日使用される注射薬の一覧表から、当該注射薬を使用する患者を割り付けた表示器の記号、数量を呼出し、セット表示コントローラ１１に指示し、分岐装置１２−１・・・・・１２−ｎを介してセット表示装置５の割り付けた表示器、即ちセット対象患者の表示器の表示ランプａを点灯すると共に、数量表示ディスプレイｂに数量を表示する（図３参照）（ステップＳＴ７）。
【００２２】
作業者はセット表示装置５の表示器５−１・・・・・５−ｎの内、表示ランプａが点灯した表示器のセット用コンテナーに数量表示ディスプレイｂに表示された数量の注射薬をセットし（ステップＳＴ８）、セットが終了したら完了ボタンｃをセットする（ステップＳＴ９）。上記ステップＳＴ６からステップＳＴ９までをセットする注射薬が終了するまでの処理作業を繰り返す（ステップＳＴ１０）。
【００２３】
セットする注射薬の全てについて上記処理作業が終了したら、プリンタ２から注射薬に貼り付けるラベルを印字出力する（ステップＳＴ１１）。続いて作業者は全ての患者に対してセットされている注射薬の監査を行う（ステップＳＴ１２）。この監査は処理制御部１−１で患者別セットリストを作成し、プリンタ２で印字出力し、患者別セットリストと実際に患者別のコンテナーにセットされた注射薬とを照合しながら監査する。この監査をしながら前記ステップＳＴ１１で出力したラベルを貼り付ける。最後に注射薬のセットされたコンテナーを搬送カート２０に収納する（ステップＳＴ１３）。
【００２４】
なお、上記実施例では、注射薬の患者別セット方式に用いる表示装置を説明したが、法規上の規制の問題を除けば、他の医療材料及び医薬品においても、本発明の表示装置は適用できることは当然である。
【００２５】
図５は本発明に係る表示装置を病院に設置した場合の外観例を示す図である。図示するように、業者から医療材料及び医薬品１００の納品があると、該医療材料及び医薬品のバーコードをバーコードリーダでスキャンしコンピュータ１０１に登録し、薬品ストッカー１０２に搬入する。薬品ストッカー１０２の薬品搬出口１０３には搬出された医療材料及び医薬品を患者別に仕分けする患者別仕分けステーション１０４が配置されている。
【００２６】
上記患者別仕分けステーション１０４には、図１及び図２で示す構成の装置が配設されており、薬品搬出口１０３では搬出された医療材料又は医薬品の記号（薬品ＩＤ）を入力することにより、セット表示装置５の各表示器５−１・・・・・５−ｎのランプａが点灯し、数量表示ディスプレイｂに使用数量が表示され、作業者はこのランプａの点灯した表示器のコンテナーにその表示数量だけ医療材料又は医薬品をセットする。
【００２７】
全部の医療材料又は医薬品のセットが終了すると、セット用コンテナーはカート１０５に収納され、監査ステーション１０６に運ばれ、監査が終了するとカート１０５は病棟へ搬送される。
【００２８】
図６はセット表示装置の他の例を示す外観図である。本セット表示装置５はコンテナーセット台５１を具備し、該コンテナーセット台５１の上部に投光器５２が設けられている。コンテナーセット台５１は複数のコンテナー５３がセットできるように矩形状に仕切られ、前記投光器５２からはこのセットされたコンテナー５３上に光が投光できるように対応して複数の投光部を有している。該複数投光部の制御は図１に示す表示器５−１・・・・・５−ｎの制御と同様、セット表示コントローラ１１、分岐装置１２を介して制御できるので図示は省略する。
【００２９】
コンテナーセット台５１にセットされたセット用コンテナー５３は患者別に割り付け、医薬品記号（薬品ＩＤ）の入力により、この医薬品を使用する患者に割り付けたセット用コンテナー５３に投光器５２の投光部から光が照射され、照射面を形成する。この照射面には医薬品のセット数量が同時に表示できるようになっている。作業者は光の投光されたセット用コンテナー５３にその照射面に表示されたセット数量をセットする。全部の医薬品のセットが終了したらセット用コンテナー５３をカートに収納する図２の場合と同様である。
【００３０】
【発明の効果】
以上説明したように本発明によれば、コンテナーセット台にセットされた患者別に割り付けられた医薬品セット用コンテナーに、医薬品記号を入力することにより、投光部から光が照射され、該照射面に当該医薬品のセット数量を表示するので、この表示に従って医薬品のセット作業ができ、作業時間を大幅に短縮することができると共に、表示に従って患者毎に医薬品のセットを行うことができるから、読み違い、取り違い、数量間違いがなくなるという優れた効果が得られる。
【図面の簡単な説明】
【図１】本発明に係る表示装置のシステム構成を示すブロック図である。
【図２】本発明に係る表示装置の外観構成例を示す図である。
【図３】表示器の正面図である。
【図４】本発明に係る表示装置における物品のセット処理作業の流れを示す図である。
【図５】本発明に係る表示装置の外観構成例を示す図である。
【図６】本発明に係る表示装置のセット表示装置の外観構成例を示す図である。
【符号の説明】
１                  コンピュータ
１−１              処理制御部
１−２              データ記憶部
１−３              ディスプレイ
２                  プリンタ
３                  キーボード
４                  光学的読取装置
４−１，４−２      光学的読取装置
５                  セット表示装置
５−１〜５−ｎ      表示器
６                  作業内容アナウンス表示器
７                  薬品ストッカー
８                  薬品ボックス
９                  セット用コンテナー
１１                セット表示コントローラ
１２−１〜１２−ｎ  分岐装置
１３                ストッカーコントローラ
１４                アナウンス表示コントローラ
５１                コンテナーセット台
５２                投光器
５３                セット用コンテナー
【図１】
0003587516.tif 000002
【図２】
0003587516.tif 000003
【図３】
0003587516.tif 000004
【図４】
0003587516.tif 000005
【図５】
0003587516.tif 000006
【図６】
0003587516.tif 000007